(57)【要約】スラットは照明可能な構造を有する。スラットはＡＣまたはＤＣ電力で動かすことができる。窓のブラインドアセンブリは充電式バッテリを収容するハウジングを有してもよい。これらバッテリはスラットの上面に配置される太陽電池で充電できる。窓のブラインドアセンブリは、窓のブラインドアセンブリの一番上に全長にわたって延伸するハウジング内に角度調整／昇降用滑車システム構造と電気サーボとを有することができる。電気サーボを制御するハウジングとスラットを点灯するスイッチの前に、赤外線遠隔センサを置くことができる。
2009525582.tif 000002
【特許請求の範囲】
【請求項１】
各々が左端と右端を有する複数の長尺状のスラットと、前記スラットが上面と下面を有することと、
前記長尺状のスラットが垂直方向に互いに所定の高さの分離間しており、
前記長尺状のスラットを互いに所定の高さの分離間させるとともに、長尺状のスラットを支持して組み立て窓ブラインドを形成する手段と、
各々が左端と右端を有する透光性ファイバの複数の長尺状の束と、前記透光性ファイバの長尺状の束の少なくとも１つを前記長尺状のスラットの少なくともほとんどに装着することと、
光を前記透光性ファイバの長尺状の束の少なくともほとんどを通して長手方向に向ける光手段と、
を具備する照明窓のブラインドアセンブリ。
【請求項２】
前記長尺状のスラットを互いに離間して支持する手段が、前記上下方向に離間した長尺状のスラットの間に連結される糸状部材である請求項１に記載の照明窓のブラインドアセンブリ。
【請求項３】
前記光手段が複数のＬＥＤであり、ＬＥＤの少なくとも１つを透光性ファイバの長尺状の束各々の少なくとも一端に隣接して配置する請求項１に記載の照明窓のブラインドアセンブリ。
【請求項４】
前記光手段が複数のＬＥＤであり、同ＬＥＤの少なくとも１つを透光性ファイバの長尺状の束各々の両端の各々に隣接して配置する請求項１に記載の照明窓のブラインドアセンブリ。
【請求項５】
ＬＥＤに接続する電流のＡＣ電源を具備する請求項３に記載の照明窓のブラインドアセンブリ。
【請求項６】
ＬＥＤに接続する電流のＤＣ電源を具備する請求項１に記載の照明窓のブラインドアセンブリ。
【請求項７】
少なくとも１つの充電式バッテリを収容する主ハウジングを具備する、請求項６に記載の照明窓のブラインドアセンブリ。
【請求項８】
前記充電式バッテリに電気接続する複数の太陽電池を具備する請求項７に記載の照明窓のブラインドアセンブリ。
【請求項９】
前記太陽電池を可撓性の薄膜ストリップに組み込む請求項８に記載の照明窓のブラインドアセンブリ。
【請求項１０】
前記可撓性の薄膜ストリップを長尺状のスラットの上面に取り付け、前記透光性ファイバの長尺状の束をスラットの下面上に支持する請求項９に記載の照明窓のブラインドアセンブリ。
【請求項１１】
前記スラットが上面と下面を有する長尺状のプラスチック製ストリップである請求項１０に記載の照明窓のブラインドアセンブリ。
【請求項１２】
前記太陽電池のストリップを嵌めて受けるために上面に長尺状の第１凹所を具備する請求項１１に記載の照明窓のブラインドアセンブリ。
【請求項１３】
透光性ファイバの長尺状の束を嵌めて受けるために、下面に長尺状の第２凹所を具備する請求項１１に記載の照明窓のブラインドアセンブリ。
【請求項１４】
電気回路配線を受けるために、第２凹所に長尺状の溝を具備する請求項１３に記載の照明窓のブラインドアセンブリ。
【請求項１５】
前記主ハウジングを窓のブラインドアセンブリの一番上に置く請求項６に記載の照明窓のブラインドアセンブリ。
【請求項１６】
主ハウジングに収容する角度調整／昇降用滑車システム構造と電気サーボを具備する請求項１５に記載の照明窓のブラインドアセンブリ。
【請求項１７】
主ハウジングに搭載されるＬＥＤ用ＰＷＭ／調光制御手段を具備する請求項１６に記載の照明窓のブラインドアセンブリ。
【請求項１８】
電気サーボと前記ＬＥＤ用ＰＷＭ／調光制御器を遠隔制御するために、主ハウジング内に赤外線遠隔センサ手段を具備する請求項１７に記載の照明窓のブラインドアセンブリ。
【請求項１９】
窓のブラインドアセンブリの下端に置く副ハウジングを具備する請求項１５に記載の照明窓のブラインドアセンブリ。
【請求項２０】
ＬＥＤが様々な色を発生する手段を有する請求項６に記載の照明窓のブラインドアセンブリ。
【請求項２１】
透光性ファイバの束を、透光性ファイバの外側の面から発する光を拡散する透光性材の被覆で覆い、透光性ファイバの束から発する光の強度を高める請求項４に記載の照明窓のブラインドアセンブリ。
【請求項２２】
各々が左端と右端を有し、さらに上面と下面を有する複数の長尺状のスラットと、前記長尺状のスラットが垂直方向に互いに所定の高さの分離間しており、
前記長尺状のスラットを互いに所定の垂直高さの分離間させるとともに、前記長尺状のスラットを支持して組み立て窓ブラインドを形成する手段と、
前記スラットの角度を変え、前記スラットを上昇させ、および前記スラットを下降させるための角度調整／昇降用滑車システム構造と、
前記スラットの前記下面に付設され、室内を照明する光発生手段と、
を具備する照明窓のブラインドアセンブリ。
【請求項２３】
各々が上端と下端を有する複数の縦型長尺状のスラットで、前記スラットが前面と裏面を有する、前記複数の縦型長尺のスラットと、
前記長尺状のスラットが横方向に互いに所定の距離の分離間しており、
前記長尺状のスラットを互いに所定の横方向の距離をあけて支持して、組み立て窓ブラインドを形成する手段と、
前記スラットを開閉する手段と、
前記スラットの前記裏面に付設され、室内を照明する光発生手段と、
を具備する照明窓のブラインドアセンブリ。
【発明の詳細な説明】
【技術分野】
【０００１】
本発明は窓のブラインドアセンブリに関係し、さらに具体的には照明可能なスラットを有するものに関係する。現在の窓のブラインドアセンブリの一部は、以下に述べる説明で示される。
【背景技術】
【０００２】
Ｈｉｒａｋｉによる特許文献１は、電動式ブラインドを駆動する太陽電池パネルアセンブリを開示している。太陽電池パネルアセンブリは、外側のガラス板と内側のガラス板の間に取り付けられ、ガラス板は互いに離間している。外側ガラス板の内側の最下部に太陽電池パネルを付設して、その下縁部がガスケットに位置づけられ、かつその上縁部が内側のガラス板の方に延伸するような傾斜角度で取り付けられる。
【０００３】
Ｇｉｌｌａｒｄによる特許文献２は、太陽電池式窓建具に関係する。建物に電力を供給する（例えば、空調設備を運転するため）太陽電池のアレイを窓建具に取り付け、窓建具は対の透明ガラス板を具備し、その間に（例えばベネチアンブラインド式の）窓のブラインドを取り付ける。入射する太陽光が当たるように、太陽電池を窓のブラインドのスラットに固定する。
【０００４】
Ｐｏｐａｔによる特許文献３は、人工照明の有無に反応する窓のブラインドの自動操作システムに関係する。好適な実施例では、自動ウィンドウカバリングシステムは、従来の光学フリッカー検知器と、従来の制御装置と、従来のウィンドウカバリングとからなる。
【０００５】
Ｐｏｐａｔによる特許文献４は、室内に入る日光の自動調整システムに関係し、具体的には採光（デイライティング）用途を目的とする。
Ｐｏｐａｔによる特許文献５は、ソーラー発電照明を提供するベネチアンブラインド型ウィンドウカバリングを教示している。図８Ｄから８Ｉを参照。
【０００６】
Ｄｉｇｅｒｔによる特許文献６は、光を室内に採り込むブラインドの使用を教示している。
Ｋｌｅｉｎｗａｃｈｔｅｒによる特許文献７は、当たった光を、室内空間の内部を照明する拡散光として使用されるエネルギに変換するブラインドシステムを教示している。
【０００７】
Ｍｕｌｌｅｒによる特許文献８は、エネルギを発生する太陽電池を備えるブラインドと日除けを有することを教示している。日除けは、ソーラーモジュールが発生した余剰エネルギを付加的に蓄積するために、エレクトロライザと燃料電池、または改質器と燃料電池を有する。
【０００８】
特許文献９は、ブラインド調のシースルー構造を有する薄膜太陽電池モジュールに関係する。
Ｅｍｄｅによる特許文献１０は、自照であると同時に、室内を照明する窓エレメントを教示している。この発明者はブラインドを使用していない。
【０００９】
Ｖａｓｑｕｅｚによる特許文献１１は、一斉に枢支される複数のスラットを有するシャッターのための自動シャッター制御器に関係する。自動シャッター制御器は、モータと、ボディ部とコネクタ部を有するスラット接合部を具備する。
【特許文献１】米国特許第５，０４０，５８５号明細書
【特許文献２】米国特許第５，２２１，３６３号明細書
【特許文献３】米国特許第５，５９８，０００号明細書
【特許文献４】米国特許第５，６６３，６２１号明細書
【特許文献５】米国特許第５，７６０，５５８号明細書
【特許文献６】米国特許第６，２３９，９１０号明細書
【特許文献７】米国特許出願公開第２００１／００５４２５２号明細書
【特許文献８】米国特許出願公開第２００２／００３３１９０号明細書
【特許文献９】特開２００２―２９９６６６号公報
【特許文献１０】米国特許出願公開第ＵＳ２００５／０１０５３０３号明細書
【特許文献１１】米国特許出願公開第ＵＳ２００５／０１８３８３３号明細書
【発明の開示】
【発明が解決しようとする課題】
【００１０】
本発明の目的は、照明可能な横型スラットを有する新規な窓ブラインドを提供することである。
本発明の目的は、照明可能な縦型スラットを有する新規な窓ブラインドを提供することである。
【００１１】
本発明の別の目的は、スラットの表面のそれぞれに装着される透光性ファイバの長尺状の束を有する新規な窓ブラインドを提供することである。
本発明のさらに別の目的は、スラットに照明を提供するために、スラットの少なくとも一端に隣接してＬＥＤを配置する新規な窓ブラインドを提供することである。
【００１２】
本発明の目的はまた、スラットの照明に使用されるライトに電力を供給するバッテリを充電するためにスラットに太陽電池を設けた新規な窓ブラインドを提供することである。
本発明の別の目的は、部屋を照明する構造を有する新規な窓ブラインドを提供することである。
【課題を解決するための手段】
【００１３】
照明窓のブラインドアセンブリは室内に照明を提供するように設計されている。これは窓枠の窓の開口部に取り付けられる。この窓の開口部に前もってミニブラインドを取り付けていたら、照明窓のブラインドアセンブリを、ミニブラインドで利用する前もって据え付けたサポートブラケット上で支持できる。照明窓のブラインドアセンブリには基本的な実施例が２つあり、一方はスラットを水平方向に向けて配置し、他方はスラットを垂直方向に向けて配置する。
【００１４】
スラットは上面と下面を有する。上面は屋外の日光に当たる面になる。下面は室内の居住空間に露出する面になる。スラットは木材、金属、またはプラスチックなど多数のさまざまな材料のいずれかから作ることができる。好適な実施例では押出成形プラスチック製のスラットを使用することになる。スラットの上面は太陽電池の長尺状のストリップを受けるための縦長の凹所を有することになる。必要ならば、太陽電池のストリップは、長細い凹所を作らずにスラットの上面に取り付けることもできる。スラットの下面には、透光性ファイバの長尺状の束を受けるための長尺状の凹所を設けることが好ましい。代替法として、これら下凹所は省くこともできる。
【００１５】
透光性ファイバの束の一端または両端に隣接して、ＬＥＤを取り付けることになる。これらＬＥＤは通常、太陽電池が発生するＤＣ電流によって充電される充電バッテリで電力を供給することになる。代替法として、これらＬＥＤには外部電源から供給されるＡＣ電流によって電力を供給することもできる。ＬＥＤ以外の他のタイプの光源としては、スラットの下面に取り付けることになる液晶ディスプレイ、ＥＬＰ、蛍光灯、または室内を照明するのに十分な光を発生する他の光源がある。使用されるＬＥＤのタイプは白色光だけ
を発生するものでよく、または６５，０００色以上のさまざまな色を発生できるＲＢＧ  ＬＥＤを使用してもよい。照明窓のブラインドアセンブリが発生する光は、本を読んだり、または作業できるだけの明るさに難なくなる。例として、約８〜１０時間充電した照明窓のブラインドアセンブリは、放射光を約９時間発することができる。
【００１６】
照明窓のブラインドアセンブリに独特な利益の一つが、窓のサイズが同じであれば他の場所に移動できることである。また、ほぼ誰でも自分で据付ができるほど据付が簡単である。現在、太陽電池のストリップは黒色または透明のいずれかのものを手に入れることができる。透明のものの場合、スラットに太陽電池が付いているかどうかは、内側からも外側からも分からない。遠くから見れば、普通のミニブラインドのように見える。別の利点は、ＬＥＤの寿命は普通約１００，０００時間だということである。
【００１７】
あるタイプの照明窓のブラインドアセンブリは太陽電池のストリップがなくても製造できること、およびスラットは外部のＡＣ電流から照明できることは理解されるべきである。このタイプでは、スラットの下面を照明できるならどのようなスラットの構造でも、室内を照明する機能を果たすことができる。
【発明を実施するための最良の形態】
【００１８】
ここで図面の図１〜１１を参照することによって、照明窓のブラインドアセンブリを説明する。窓のブラインドアセンブリは全体として数字２０で示されている。これは、窓の開口部を有する窓枠２２に据え付けられることになる。窓枠２２は上壁２４、下壁２５、左側壁２６、右側壁２７を有する。
【００１９】
窓のブラインドアセンブリ２０は、上ハウジング２９と、垂直方向に離間した複数のスラット３０と、下ハウジング３１とを有する。垂直方向に離間したスラット３０の間に糸状部材３３を張り渡す。スラットは距離Ｈ１の分だけ互いに垂直方向に離間している。図３を参照して、糸状部材の上端を上ハウジング２９に何らかの方法で連結することに留意する。また、糸状部材３３はスラット３０の上面の上にも、スラット３０の下面の下にも通す。
【００２０】
図４は、従来からある窓のブラインドアセンブリ用のブラケットと構造が同じ右側サポートブラケット３８を拡大して概略的に図示している。右側サポートブラケット３８は、上壁２４の下面または右側壁２７の内面のいずれかに固定されることになる。上ハウジング２９の右端を右側サポートブラケット３８に差し込むことになる。左側壁２６に隣接しかつ上壁２４の下に上ハウジング２９の左端を支持するのも同じサポートブラケット３８である。上ハウジング２９の両端を既存の窓のブラインドアセンブリと実質的に同じ構成に設計することによって、単に既存の窓のブラインドアセンブリを取り外して、本発明者の新規な照明窓のブラインドアセンブリ２０を差し込むことが可能である。左側のＵ字形縁カバー４０と右側のＵ字形縁カバー４１を、スラット３０のそれぞれ左端および右端を隠すのに利用できる。
【００２１】
スラット３０の構造を理解するには、図２および７を参照するのがよい。好適な実施例では、スラットは上面４３と下面４４を有する押出成形プラスチック部材である。スラットは他の材料で製作しても同様にうまく機能することは理解されるべきである。上面４３は凹所４５を有し、下面４４は凹所４６を有する。太陽電池のストリップ４８を凹所４５に据え付け、その両端に、後述する構造に接続するワイヤ４９および５０を有する。透光性ファイバ５３の長尺状の束５２を凹所４６に配置する。半透明のスリーブ５５がファイバ５３を囲んで、ファイバから発する光を拡散する。凹所４６の長さに沿って管路または溝５７が延びており、その目的は電線管を提供することである。
【００２２】
図５および６を参照することにより、光ファイバ５３の束５２をよりよく理解できるであろう。ファイバ５３の両端をプラスチック製のバンド６０でまとめて締めて、フェルール６１に嵌まり込む円筒形の構成にする。ＬＥＤホルダ６２はフェルール６１にすっと嵌まる。ＬＥＤ６３をＬＥＤホルダ６２の裏端に捕捉し、またＬＥＤ６３はＬＥＤから延伸する対のワイヤ６４を有する。直交糸部材６６をファイバ５３に巻きつける。束５２の上面が発光側になる。ファイバ５３の両端はＬＥＤホルダ６２とＬＥＤ６３の連結構造の端に隣接して配置する。エンドキャップ６７は容易にこの連結構造にすっと嵌めることができる（図８を参照）。
【００２３】
図９は、内部に収容される様々なコンポーネントを図示した上ハウジング２９の概略図である。太陽電池４８からワイヤ４９および５０を通してＤＣ電流を受ける複数の充電式バッテリ６９がある。数字７０はＰＷＭ／調光制御器を指している。遠隔サーボ／色制御用の赤外線または無線周波数遠隔センサ７１も上ハウジング２９内にある。数字７４は、上ハウジング２９の下半部に収容されるミニブラインドの角度調整／昇降用滑車システムおよび電気サーボを指している。印刷回路基板７２はそれからＬＥＤ６３まで延伸するワイヤ６４を有する。
【００２４】
印刷回路基板７２を図１０に概略的に図示する。回路基板７２に実装されるのは、バッテリ接続端子７６と、電圧調整器７７と、モータ電力出力接続端子７８と、水晶７９と、マイクロコントローラ（ＣＰＵ）８０である。それに赤外線２０ワットパワーＭＯＳＦＥＴ８１が実装され、ＬＥＤを駆動する。ダイオード８２は太陽電池からのバッテリの放電を防ぐ。赤外線モジュール接続端子８４とソーラー接続端子８５も印刷回路基板７２に実装される。ねじ端子８６はＬＥＤに並列出力を提供する。ＩＲ受信機８７が上ハウジング２９の前壁に取り付けられる。遠隔制御器８８は３つのボタンを有し、次の機能を提供する。１）オン／オフ、２）明暗、３）スラットの開閉。
【００２５】
図１１は下ハウジング３１の概前立面図である。これはその前壁９８に使用可能電力のＬＣＤディスプレイを有することができる。外部の電源に任意の電力出力をするため、またはエネルギ貯蔵ステーションにネットワーク接続するために、上ハウジング２９の左右いずれかの端にコンセント９９を据え付けてもよい。外部の電源からＡＣ電流を受けるための電気コンセント１００を、上ハウジング２９のいずれかの端に配置することもできる。
【００２６】
代替実施例の照明窓のブラインドアセンブリ９０を図１２および１３に図示する。この実施例では、スラット９１を縦向きに置く。上ハウジング９２は第１実施例の上ハウジング２９にあるのと同じコンポーネントを収容する。下ハウジング９３はオプションとすることができる。図１２は窓のブラインドアセンブリの前面を示しており、スラット９１の前面に太陽電池９４のストリップを配置することになる。透光性ファイバ５３の束９５は、各スラット９１の裏面に装着することになる。この実施例は、基本的に第１実施例で説明したのと同じように機能するのに必要なすべてのコンポーネントを有することになる。太陽電池９４のストリップはスラット９１の前面にある長尺状の凹所に取り付けることができる。透光性ファイバ５３の束９５用の長尺状の凹所をスラット９１の裏面に設けることができる。通常スラットの上端に隣接して、ＬＥＤまたは他の光源を配置することになる。
【００２７】
本発明をその特定の形態および実施例に関連して説明してきたが、本発明の精神または範囲を逸脱することなく上記述べたもの以外の様々な変型例が採用できることは認識されるであろう。例えば、具体的に示し説明したものの代わりに同等のエレメントを使用してもよく、ある特徴を他の特徴とは独立して使用してもよく、および前述した様々なコンポーネントの数および構成を変えてもよく、そのすべてが添付の請求項で明確に規定する本
発明の精神または範囲から逸脱するものではない。
【図面の簡単な説明】
【００２８】
【図１】新規な照明窓のブラインドアセンブリの正面図。
【図２】図１の円２を切り取った拡大図。
【図３】スラットを上下方向に互いに離間して支持する方式を図示した概略部分端面図。
【図４】上ハウジングの両端を従来の窓のブラインドのサポートブラケットに支持する方式を図示した部分拡大斜視図。
【図５】スラットの表面の１つに装着される透光性ファイバの長尺状の束の１つの拡大概略平面図。
【図６】図５に図示する透光性ファイバの束の概略側面図。
【図７】スラットのうちの１つを示す概略断面図。
【図８】スラットの両端にエンドキャップを差し込む状態を示した分解側面図。
【図９】上ハウジングの正面図。
【図１０】印刷回路基板の平面図。
【図１１】下ハウジングの正面図。
【図１２】代替実施例である縦型スラットを有する照明窓のブラインドアセンブリの正面図。
【図１３】図１２に図示する照明窓のブラインドアセンブリの背面図。
【図１】
2009525582.tif 000003
【図２】
2009525582.tif 000004
【図３】
2009525582.tif 000005
【図４】
2009525582.tif 000006
【図５】
2009525582.tif 000007
【図６】
2009525582.tif 000008
【図７】
2009525582.tif 000009
【図８】
2009525582.tif 000010
【図９】
2009525582.tif 000011
【図１０】
2009525582.tif 000012
【図１１】
2009525582.tif 000013
【図１２】
2009525582.tif 000014
【図１３】
2009525582.tif 000015
【国際調査報告】
2009525582.tif 000016